(57)【要約】【課題】無線通信端末の認証処理に伴う過負荷の問題を解消する。【解決手段】ベースステーションはユーザターミナルの認証処理において、ユーザターミナル証明書の認証計算および暗号化された共通鍵の復号計算を実行する。このときまず選択処理を実行して負荷の小さいサブプロセッサ＃２，３を選択する。サブプロセッサ＃２，３に対して計算要求を指示する。サブプロセッサ＃２はユーザターミナル証明書の認証計算を実行する。サブプロセッサ＃３は暗号化された共通鍵の復号計算を実行する。メインプロセッサは証明書の認証計算や共通鍵の復号計算から解放される。【選択図】図３
2006238214.tif 000002
【特許請求の範囲】
【請求項１】
通信を行うための無線リソースにチャネルを割り当てて無線通信端末との間でデータ通信を行うと共に通信中の無線通信端末の認証処理を行う基地局装置であって、
前記チャネルに対応した所定の信号処理を実行する複数の信号処理部およびこれら複数の信号処理部を制御する主処理部を備え、
前記信号処理部は、前記主処理部からの指示を受けると前記認証処理を実行する認証処理手段を備え、
前記主処理部は、前記信号処理部の前記信号処理の負荷を示す指標を算出する指標算出手段と、前記指標に応じて前記信号処理部のうちの少なくとも１つを選択する選択手段と、選択された信号処理部に対し前記認証処理を行うよう指示する指示手段とをさらに備えたこと
を特徴とする基地局装置。
【請求項２】
前記指標算出手段は、前記無線リソースに対し割り当てられているチャネルの数を前記信号処理部の負荷を示す指標とするものであることを特徴とする請求項１記載の基地局装置。
【請求項３】
前記指標算出手段は、データ通信用のチャネルおよび通信制御用のチャネルに対して予め設定されている重みを記憶する重み記憶手段と、前記無線リソースに対し割り当てられいるチャネルの数に重み付けして合計した値を求めて前記信号処理部の信号処理の負荷を示す指標とする重み付け合計演算手段とを備えたこと
を特徴とする請求項１記載の基地局装置。
【請求項４】
通信を行うための無線リソースにチャネルを割り当てて無線通信端末との間でデータ通信を行うと共に通信中の無線通信端末の認証処理を行う基地局装置であって、
前記チャネルに対応した所定の信号処理を実行する複数の信号処理部およびこれら複数の信号処理部を制御する主処理部を備え、
前記信号処理部は、前記主処理部からの指示を受けると前記認証処理を実行する認証処理手段を備え、
前記主処理部は、前記信号処理部の使用状況を監視し空きチャネルが存在する信号処理部のうちの少なくとも１つを選択する選択手段と、選択された信号処理部に対し前記認証処理を行うよう指示する指示手段とをさらに備えたこと
を特徴とする基地局装置。
【請求項５】
通信を行うための無線リソースにチャネルを割り当てて無線通信端末との間でデータ通信を行うと共に通信中の無線通信端末の認証処理を行う基地局装置であって、
前記チャネルに対応した所定の信号処理を実行する複数の信号処理部およびこれら複数の信号処理部を制御する主処理部を備え、
前記信号処理部は、前記主処理部からの指示を受けると前記認証処理を実行する認証処理手段を備え、
前記主処理部は、前記信号処理部の使用状況を監視し空きチャネルが存在する場合には最も多く空きチャネルが存在する信号処理部のうちの少なくとも１つを選択する選択手段と、選択された信号処理部に対し前記認証処理を行うよう指示する指示手段とをさらに備えたこと
を特徴とする基地局装置。
【請求項６】
通信を行うための無線リソースにチャネルを割り当てて無線通信端末との間でデータ通信を行うと共に通信中の無線通信端末の認証処理を行い、前記チャネルに対応した所定の信号処理を複数の処理部により行う基地局装置の制御方法において、
前記処理部の前記信号処理の負荷を示す指標を算出するステップと、前記指標に応じて前記処理部のうちの少なくとも１つを選択するステップと、選択された処理部に対し前記認証処理を行うよう指示するステップとを含むこと
を特徴とする基地局装置の制御方法。
【請求項７】
通信を行うための無線リソースにチャネルを割り当てて無線通信端末との間でデータ通信を行うと共に通信中の無線通信端末の認証処理を行うものであって、前記チャネルに対応した所定の信号処理を複数の処理部により行うコンピュータシステムを対象とし、
前記処理部の前記信号処理の負荷を示す指標を算出するステップと、前記指標に応じて前記処理部のうちの少なくとも１つを選択するステップと、選択された処理部に対し前記認証処理を行うよう指示するステップとを実行させること
を特徴とする通信制御プログラム。
【発明の詳細な説明】
【技術分野】
【０００１】
この発明は、複数の信号処理部とこれらの信号処理部を制御する主処理部とを基地局装置に備え、無線リソースにチャネルを割り当てて複数の無線通信端末および基地局装置間でデータ通信を行うと共に通信中に認証処理を行う無線通信技術に関する。
【背景技術】
【０００２】
一般にワイヤレスインターネットアクセスシステムには、データ通信をする前、ランダムアクセスチャネル（ＲＡＣＨ：Ｒａｎｄｏｍ  Ａｃｃｅｓｓ  Ｃｈａｎｎｅｌ）を利用し、ユーザターミナル（無線通信端末：ＵＴ）と基地局（ＢＳ：ＢａｓｅＳｔａｔｉｏｎ）との間で接続制御に関するデータ通信を行うものがある。
【０００３】
この種のシステムでは、まずユーザターミナルが基地局に接続要求メッセージであるＲＡ（Ｒｅｑｕｅｓｔ  Ａｃｃｅｓｓ）を送信する。基地局は、ユーザターミナルから送信された接続要求ＲＡを受信したら接続要求ＲＡと同一の無線リソースで、接続割当メッセージであるＡＡ（Ａｃｃｅｓｓ  Ａｓｓｉｇｎｍｅｎｔ）をユーザターミナルに送信し、トラフィックチャネル（ＴＣＨ：Ｔｒａｆｆｉｃ  Ｃｈａｎｎｅｌ）としての使用許可を与える。その後、同一の無線リソースをトラフィックチャネルに移行して通信をする。
【０００４】
上記のシステムでは、基地局に登録したユーザターミナルになるべく公平にＴＣＨを割り当てることを目的として、各ユーザターミナルの接続を制限する方式が運用されることがある。かかる方式では、ＴＣＨを使用したいユーザターミナルに対してその接続を保証するために、無線リソースにチャネルを割り当てるにあたって、一定チャネル数以上のＲＡＣＨを常に空けておくようにしている。チャネルの割り当てに関しては、たとえば特許文献１に記載される技術がある。
【０００５】
また無線リソースは、周波数分割多重（ＦＤＭＡ：Ｆｒｅｑｕｅｎｃｙ  Ｄｉｖｉｓｉｏｎ  Ｍｕｔｉｐｌｅ  Ａｃｃｅｓｓ）方式や時分割多重（ＴＤＭＡ：Ｔｉｍｅ  Ｄｉｖｉｓｉｏｎ  Ｍｕｔｉｐｌｅ  Ａｃｃｅｓｓ）方式、空間分割多重ＳＤＭＡ：Ｓｐａｃｅ  Ｄｉｖｉｓｉｏｎ  Ｍｕｔｉｐｌｅ  Ａｃｃｅｓｓ）方式を組み合わせるなどして多数化が図られている。かかる多数の無線リソースを管理するにあたって、基地局はたとえば、プロトコル制御を行うメインプロセッサと、変復調を行う複数のサブプロセッサとで処理を分散して実行する構成をとる。一方、接続開始時には、ユーザターミナルと基地局が相互に認証を行うレジストレーションが行われるが、このレジストレーション時に行われる認証処理は従来、メインプロセッサが担当している。
【特許文献１】特開２００４−２５４２０１号公報
【発明の開示】
【発明が解決しようとする課題】
【０００６】
上記の認証処理は数１０〜数１００ｍｓｅｃ程度の長い時間を要する高負荷の処理であるため、過負荷の問題が生じる。すなわち、メインプロセッサが非常に多くのプロトコル制御処理を行っている最中に認証処理を実行すると、メインプロセッサ内で輻輳が発生することがあり、パケット通信等に影響を与えてしまうという問題があった。一方、サブプロセッサはたとえば予め設定された特定の周波数・タイムスロットの無線リソースをそれぞれ分担するのが通常であり、仮に、あるサブプロセッサに認証処理を担当させるとすれば、当該サブプロセッサが担当する無線リソースに支障が出る事態を招きかねない。
【０００７】
この発明は、このような事情に鑑み、複数の信号処理部とこれらの信号処理部を制御する主処理部とを基地局装置に備え、無線リソースにチャネルを割り当てて複数の無線通信端末および基地局装置間でデータ通信を行うと共に通信中の無線通信端末の認証処理を行う無線通信技術において、無線リソースを有効利用して無線通信システムの演算処理能力の利用効率を向上し、無線通信端末の認証処理に伴う過負荷の問題を解消し得る技術を提供することを課題とする。
【課題を解決するための手段】
【０００８】
上記の課題を解決するために、第１の発明は、通信を行うための無線リソースにチャネルを割り当てて無線通信端末との間でデータ通信を行うと共に通信中の無線通信端末の認証処理を行う基地局装置であって、
前記チャネルに対応した所定の信号処理を実行する複数の信号処理部およびこれら複数の信号処理部を制御する主処理部を備え、
前記信号処理部は、前記主処理部からの指示を受けると前記認証処理を実行する認証処理手段を備え、
前記主処理部は、前記信号処理部の前記信号処理の負荷を示す指標を算出する指標算出手段と、前記指標に応じて前記信号処理部のうちの少なくとも１つを選択する選択手段と、選択された信号処理部に対し前記認証処理を行うよう指示する指示手段とをさらに備えたこと
を特徴とする基地局装置を提供する。
【０００９】
また第２の発明は、上記第１の発明における前記指標算出手段は、前記無線リソースに対し割り当てられいるチャネルの数を前記信号処理部の負荷を示す指標とするものであることを特徴とする基地局装置を提供する。
【００１０】
また第３の発明は、上記第１の発明における前記指標算出手段は、データ通信用のチャネルおよび通信制御用のチャネルに対して予め設定されている重みを記憶する重み記憶手段と、前記無線リソースに対し割り当てられいるチャネルの数に重み付けして合計した値を求めて前記信号処理部の信号処理の負荷を示す指標とする重み付け合計演算手段とを備えたこと
を特徴とする基地局装置を提供する。
【００１１】
また第４の発明は、通信を行うための無線リソースにチャネルを割り当てて無線通信端末との間でデータ通信を行うと共に通信中の無線通信端末の認証処理を行う基地局装置であって、
前記チャネルに対応した所定の信号処理を実行する複数の信号処理部およびこれら複数の信号処理部を制御する主処理部を備え、
前記信号処理部は、前記主処理部からの指示を受けると前記認証処理を実行する認証処理手段を備え、
前記主処理部は、前記信号処理部の使用状況を監視し空きチャネルが存在する信号処理部のうちの少なくとも１つを選択する選択手段と、選択された信号処理部に対し前記認証処理を行うよう指示する指示手段とをさらに備えたこと
を特徴とする基地局装置を提供する。
【００１２】
また第５の発明は、通信を行うための無線リソースにチャネルを割り当てて無線通信端末との間でデータ通信を行うと共に通信中の無線通信端末の認証処理を行う基地局装置であって、
前記チャネルに対応した所定の信号処理を実行する複数の信号処理部およびこれら複数の信号処理部を制御する主処理部を備え、
前記信号処理部は、前記主処理部からの指示を受けると前記認証処理を実行する認証処理手段を備え、
前記主処理部は、前記信号処理部の使用状況を監視し空きチャネルが存在する場合には最も多く空きチャネルが存在する信号処理部のうちの少なくとも１つを選択する選択手段と、選択された信号処理部に対し前記認証処理を行うよう指示する指示手段とをさらに備えたこと
を特徴とする基地局装置を提供する。
【００１３】
また第６の発明は、通信を行うための無線リソースにチャネルを割り当てて無線通信端末との間でデータ通信を行うと共に通信中の無線通信端末の認証処理を行い、前記チャネルに対応した所定の信号処理を複数の処理部により行う基地局装置の制御方法において、
前記処理部の前記信号処理の負荷を示す指標を算出するステップと、前記指標に応じて前記処理部のうちの少なくとも１つを選択するステップと、選択された処理部に対し前記認証処理を行うよう指示するステップとを備えたこと
を特徴とする基地局装置の制御方法を提供する。
【００１４】
また第７の発明は、通信を行うための無線リソースにチャネルを割り当てて無線通信端末との間でデータ通信を行うと共に通信中の無線通信端末の認証処理を行うものであって、前記チャネルに対応した所定の信号処理を複数の処理部により行うコンピュータシステムを対象とし、
前記処理装置の前記信号処理の負荷を示す指標を算出するステップと、前記指標に応じて前記処理装置のうちの少なくとも１つを選択するステップと、選択された処理部に対し前記認証処理を行うよう指示するステップとを実行させること
を特徴とする通信制御プログラムを提供する。
【発明の効果】
【００１５】
この発明によれば、各信号処理部の信号処理の負荷を示す指標を求め、かかる指標に基づいて信号処理部を選択して無線通信端末の認証処理を実行させるので、認証処理の演算処理負荷から主処理部を解放すると共に、無線リソースの提供に支障を来すことなく認証処理を実行することが可能となる利点がある。
【００１６】
また無線リソースに対し割り当てられいるチャネルの数を信号処理部の信号処理の負荷を示す指標とすれば、信号処理部の演算処理負荷が割り当てられているチャネルの数に大きく依存する特性を反映し、簡素な処理により的確に演算処理負荷を把握することが可能となる利点がある。
【００１７】
またデータ通信用のチャネルおよび通信制御用のチャネルに対して予め設定されている重みを参照し、前記無線リソースに対し割り当てられいるチャネルの数に重み付けして合計した値を前記信号処理部の信号処理の負荷を示す指標とすることにより、チャネルの種類、特にデータ通信用のチャネルと通信制御用のチャネルとで処理データ量が大きく異なることに起因して上記の信号処理の負荷が異なる特性を反映し、更に的確に信号処理の負荷を判定し、より適正な負荷分散を実現できる利点がある。
【発明を実施するための最良の形態】
【００１８】
以下、図面を用いてこの発明の実施形態を説明する。
図１は、この発明の一実施形態に係るワイヤレスインターネットアクセスシステムの概略を示すブロック図である。同図に示すように、ユーザターミナル（無線通信端末：ＵＴ）１はベースステーション（基地局装置：ＢＳ）２と無線により通信可能な機能を有する端末であり、既存の構成のものを使用してこの実施形態に適用可能であるから、ここではユーザターミナル１の構成の詳細な説明は省略する。
【００１９】
ベースステーション２は、有線でＩＰ（インターネットプロトコル）網３に接続されており、ユーザターミナル１に対しインターネットアクセスサービスを提供するものである。ベースステーション２は多数のユーザターミナル１と接続可能であり、通常の形態においてユーザターミナル１からも複数のベースステーション２が認識可能である。
なお、ここではベースステーション２は、ＩＰ網に接続されているとしたが、接続先はＩＰ網に限らず、一般的なネットワークであれば構わない。
【００２０】
図２はベースステーション２の要部を示すブロック図である。同図に示すように、ベースステーション２はマルチアンテナ・マルチキャリア型として構成されている。メインプロセッサ（主処理部）４は、ベースステーション２全体を制御するものであり、同図に示す各部構成要素を制御してプロトコル制御等も行うものである。データ入出力インタフェース５は、ＩＰ網３（図１参照）とのデータ入出力を行うインタフェース等、図示しないベースステーション２の内部回路との間でデータ入出力を行う回路である。
【００２１】
モデム部６は、入出力インタフェース５とパス制御部７との間に接続され、入出力データの変復調を行う回路である。パス制御部７は、モデム部６と無線通信部８（８−１〜８−ｎ）との間のデータ伝送パスを制御するものである。無線通信部８（８−１〜８−ｎ）は、それぞれアンテナ８０１、高周波回路部（ＲＦ：Ｒａｄｉｏ  Ｆｒｅｑｕｅｎｃｙ）８０２、デジタルダウンコンバータ（ＤＤＣ）８０３、デジタルアップコンバータ（ＤＵＣ）８０４から構成される。アンテナ８０１および高周波回路部８０２は電波の送受信を行うものである。デジタルダウンコンバータ８０３は受信信号（アナログ信号）をデジタル化するものである。デジタルアップコンバータ８０４は送信信号（デジタルデータ）をアナログ化するものである。
【００２２】
モデム部６は複数のキャリア周波数（この例ではｆ１〜ｆ４，ｆ５〜ｆ８）の変復調を行うものであり、各キャリア周波数ごとの変復調を担当する処理系６０（６０−１〜６０−４）から構成される。各処理系６０は、時分割多重によるスロット数（この例では３スロット）に対応して複数のサブプロセッサ（信号処理部）６００（６００−１〜６００−３）を有する。このサブプロセッサ６００（６００−１〜６００−３）は、デジタル信号プロセッサ（ＤＳＰ）により構成される。各ＤＳＰは変復調処理を行うプログラムの他、ユーザターミナルの認証処理に必要なプログラムをメインメモリ（図示せず）に格納している。上記の認証処理に必要なプログラムには、ユーザターミナル証明書の認証計算プログラムや暗号化された共通鍵の復号計算プログラム等がある。
【００２３】
変復調処理に係るプログラムに基づいてサブプロセッサ６００が動作すると、各々のサブプロセッサ６００が担当するスロットのデータの変復調処理を行う。各スロットは、空間分割多重により３チャネル分の無線リソースを提供する。すなわち各サブプロセッサ６００は、最大３チャネル分の通信データの変復調を担当するようになっている。Ｔｘ／Ｒｘバッファ６０１は、キャリア周波数ごとの送受信データを一時保持するバッファであり、３スロット分のデータの分離・結合を行う。
【００２４】
ここで本システムで利用可能な無線リソースは、たとえば周波数分割多重方式・時分割多重方式・空間分割多重方式などを採用してＮ個提供されているものとする。このＮ個の無線リソースのうち、所定個が報知チャネル（ＢＣＨ：Ｂｒｏａｄｃａｓｔ  Ｃｈａｎｎｅｌ）用あるいはＰＰＰ（Ｐｏｉｎｔ  ｔｏ  Ｐｏｉｎｔ  Ｐｒｏｔｏｃｏｌ）におけるアライブ信号（接続を確認するための信号）の伝送用、公平分配機能用（通信中のユーザの接続を切断して接続の機会を他のユーザにも与える制御のための信号用）などに割り当てられており、残りの無線リソースがランダムアクセスチャネルおよびトラフィックチャネル（ＴＣＨ：Ｔｒａｆｆｉｃ  Ｃｈａｎｎｅｌ）用に割り当てられている。
【００２５】
図３は、この実施形態に係るワイヤレスインターネットアクセスシステムにおける通信手順の概略を示すフロー図である。図１〜３を用いて通信開始時の手順を簡単に説明する。ユーザターミナル１がベースステーション２に接続すると、ベースステーション２は当該ユーザターミナル１を登録する。具体的には、ユーザターミナル１は、接続要求メッセージである接続要求ＲＡをランダムアクセスチャネルによりベースステーション２に送信する。ベースステーション２において、上記のランダムアクセスチャネルに用いられた無線リソースを担当するサブプロセッサを＃１とする。ベースステーション２は、接続要求ＲＡを受信すると、所定のアルゴリズムに従って無線リソース（図示せず）を選択してトラフィックチャネルに割り当て、かかる無線リソースの指定を含む接続割当メッセージである接続割当ＡＡをユーザターミナル１に送信する。
【００２６】
この接続要求ＲＡと接続割当ＡＡのメッセージ交換の後ユーザターミナル１は、ユーザターミナル１の固有情報（ＩＤ（識別子）やプロトコルバージョン等）を含むユーザターミナル情報（ＵＴ  Ｃａｐａｂｉｌｉｔｙ  Ｍｅｓｓａｇｅ）をトラフィックチャネルによりベースステーション２に送信する。これ以降、ユーザターミナル１およびベースステーション２間の通信は、トラフィックチャネルに移行して行われる。通常は、ランダムアクセスチャネルに用いられた無線リソースが引き続きトラフィックチャネルに用いられる。
【００２７】
トラフィックチャネルによるデータ通信中、ユーザターミナル１とベースステーション２との間では、所定のタイミングにより認証処理が行われる。この認証処理は既知の手法を用いれば良いが、その手順を簡単に説明すると、まずベースステーション２がＢＳパラメータ情報（ＢＳ  Ｐａｒａｍｓ  Ｍｅｓｓａｇｅ）をユーザターミナル１に送信する。このメッセージには、ベースステーションの証明書や公開鍵などの情報が含まれる。
【００２８】
このメッセージを受信するとユーザターミナル１は、公開鍵から共通鍵Ｋｒを生成・暗号化し、ＵＴパラメータ情報（ＵＴ  Ｐａｒａｍｓ  Ｍｅｓｓａｇｅ）を生成してベースステーション２に送信する。このメッセージには、ユーザターミナル証明書や暗号化した共通鍵Ｋｒが含まれる。
【００２９】
このメッセージを受信するとベースステーション２はまずユーザターミナル証明書の認証処理を行う。この処理にあたってメインプロセッサ４は、まずサブプロセッサ６００の中から演算処理負荷が小さいものを選択する選択処理（後述する。）を実行し、同処理で選択されたサブプロセッサ６００（図３中に＃２で示す）に対して計算要求を指示する。この計算要求を受けるとサブプロセッサ６００（＃２）は、ユーザターミナル証明書の認証処理を実行し、計算結果をメインプロセッサ４に返す。この認証処理は既知の手法を採用して実行できるので、具体的な証明書の形式や処理手順の説明は省略する。
【００３０】
上記の認証処理の結果ユーザターミナル証明書の正当性が認証されるとメインプロセッサ４は、さらに上記の選択処理を実行して負荷の小さいサブプロセッサ６００を選択し、同処理で選択されたサブプロセッサ６００（図３中に＃３で示す）に対して計算要求を指示する。この計算要求を受けるとサブプロセッサ６００（＃３）は、暗号化された共通鍵Ｋｒの復号計算を実行し、計算結果をメインプロセッサ４に返す。なお、暗号化・復号化の手法は既知のものを採用して実行できるので、ここでは具体例の説明は省略する。
【００３１】
メインプロセッサ４は、復号化された共通鍵Ｋｒを用いてユーザターミナル１の認証評価を行い、その結果を登録パラメータ情報（Ｒｅｇ  Ｐａｒａｍｓ  Ｍｅｓｓａｇｅ）にのせてユーザターミナル１に送信する。上記の手順においてメインプロセッサ４は、演算処理負荷の大きいユーザターミナル証明書の認証計算や共通鍵の復号計算から解放されるので、メインプロセッサ４内で輻輳が発生してパケット通信等に影響を与えるおそれを回避できる。
【００３２】
図４は、サブプロセッサの選択処理を示すフローチャートである。同図に示すように選択処理にあたってメインプロセッサ４は、まず使用チャネル情報を取得する（Ｓ１）。この使用チャネル情報は、使用チャネルに変更があると更新する（Ｓ２）ことにより、現在の状態を反映した状態を保持するものとする。この後、サブプロセッサ６００毎の使用チャネル数を算出し（Ｓ３）、使用チャネル数が最小のサブプロセッサを選択する（Ｓ５）。
【００３３】
ここでステップＳ３の使用チャネル数の算出にあたっては、各サブプロセッサについて、担当するチャネルの中で使用中の個数を合計するのであるが、パケット通信に用いられるトラフィックチャネルと、通信制御用の各種のチャネル（ランダムアクセスチャネルや報知チャネルなど）とでは、データ量が大きく異なることに起因して演算処理負荷が大きく異なる蓋然性が高い。したがって使用チャネル数の評価にあたってチャネルの種類によって重み付けをしてその合計値を使用してもよい。
【００３４】
この手順を表１を用いて説明する。表１は、サブプロセッサの信号処理負荷の指標であるチャネル重みの合計値を示すテーブルを示す。
【００３５】
【表１】
2006238214.tif 000003
【００３６】
各サブプロセッサの信号処理負荷を示す指標としてのチャネル重みの合計値を使用する。例えば想定される演算処理負荷の大きさに対応した重みｍ（０＜ｍ≦１）をチャネルの種類ごとにあらかじめ設定して表１のテーブルに格納しておき、チャネル数計算の際は、上記のテーブルを参照して、各サブフロセッサ毎に、チャネルの種類ごとの使用チャネル数ｎに重みｍを乗算したうえで合計する。つまりチャネルの種類ごとの使用数ｎをｎ＝ｎ１，ｎ２…ｎｋ…、重みｍをｍ＝ｍ１，ｍ２…ｍｋ…とすればΣｎｍを算出してチャネル重みの合計値とする。
【００３７】
ここで表１に示すテーブルでは、チャネルの種類ごとの重みは、トラフィックチャネル（ＴＣＨ）が１．０、ランダムアクセスチャネル（ＲＡＣＨ）が０．３、報知チャネル（ＢＣＨ）が０．５であり、サブプロセッサ６００（＃１）が１つのトラフィックチャネルを使用中であり、サブプロセッサ６００（＃２）が報知チャンネルを１つ、ランダムアクセスチャンネルを１つ使用中でサブプロセッサ６００（＃３）はトラフィックチャンネルを３つ使用中である。この場合は、サブプロセッサ６００（＃１）の重み付け後のチャネル重みは「１」（＝０＋０＋１）、サブプロセッサ６００（＃２）の重み付け後のチャネル重みが「０．８」（＝０＋０．３＋０．５）サブプロセッサ６００（＃３）が「３．０」（＝３．０＋０＋０）となり、サブプロセッサ６００（＃２）が選択される。かかる形態によれば、サブプロセッサの実負荷をより的確に判定し、より適正な負荷分散を実現できる利点がある。なお、上記したチャンネル重みの合計値を用いたサブプロセッサ６００の選択処理は、メインプロセッサ４により行われる。表１に示したテーブルは、メインプロセッサ４が備える図示しない記憶部が記憶している。
【００３８】
以上、この発明の実施形態を詳述してきたが、具体的な構成はこの実施形態に限られるものではなく、この発明の要旨を逸脱しない範囲の設計等も含まれる。
【００３９】
たとえばベースステーションにおけるメインプロセッサやサブプロセッサを、ＣＰＵ（Ｃｅｎｔｒａｌ  Ｐｒｏｃｅｓｓｉｎｇ  Ｕｎｉｔ）型の演算装置あるいはコンピュータシステムに所定のプログラムを組み込むことにより構成するのは一般的に採用され得る形態である。メインプロセッサやサブプロセッサに組み込まれるプログラムは、コンピュータ読み取り可能な記録媒体に記録されて頒布されることができ、機能の一部を実現する形態で頒布されるものであっても良い。たとえばＯＳ（オペレーション・システム）が提供する基本機能を利用したアプリケーションソフトの形式で頒布されるものであっても良い。さらにコンピュータシステムに既に記録されている既存システムのプログラムとの組み合わせで所定の機能を実現できるもの、いわゆる差分プログラムで頒布される形態をとることも可能である。
【００４０】
また上記のコンピュータ読み取り可能な記録媒体には、可搬型の磁気ディスクや光磁気ディスク等の記憶媒体等以外にも、ハードディスク等の記憶装置その他不揮発性の記憶装置を含む。さらにインターネットその他のネットワーク等、任意の伝送媒体を介して他のコンピュータシステムから提供される形態でも良い。この場合、「コンピュータ読み取り可能な記録媒体」には、ネットワーク上のホストやクライアントとなるコンピュータシステム内部の揮発性メモリのように、伝送媒体において一定時間プログラムを保持しているものも含む。
【００４１】
また上述した実施形態においてメインプロセッサやサブプロセッサが担当している機能を更に複数のプロセッサによる分散処理で実現する形態も任意に選択し得る設計的な事項である。また、かかる形態において、少なくともその一部のプロセッサをＦＰＧＡ（Ｆｉｅｌｄ Ｐｒｏｇｒａｍｍａｂｌｅ Ｇａｔｅ Ａｌｌｅｙ）により構築する形態も可能である。この場合、ＦＰＧＡに組み込む回路プログラム情報の頒布については、上記のプログラムの頒布と同様に各種の形態をとることも可能である。
【図面の簡単な説明】
【００４２】
【図１】この発明の一実施形態に係るワイヤレスインターネットアクセスシステムの概略を示すブロック図である。
【図２】この実施形態に係るベースステーションの要部を示すブロック図である。
【図３】この実施形態に係るワイヤレスインターネットアクセスシステムにおける通信手順の概略を示すフロー図である。
【図４】サブプロセッサの選択処理を示すフローチャートである。
【符号の説明】
【００４３】
１…ユーザターミナル（無線通信端末）  ２…ベースステーション（基地局装置）  ３…ＩＰ網  ４…メインプロセッサ（主処理部）  ５…データ入出力インタフェース  ６…モデム部  ６０（６０−１〜６０−４）…処理系６０  ６００（６００−１〜６００−３）…サブプロセッサ（信号処理部、処理装置）６０１…Ｔｘ／Ｒｘバッファ  ７…パス制御部  ８（８−１〜８−ｎ）…無線通信部  ８０１…アンテナ  ８０２…高周波回路部  ８０３…デジタルダウンコンバータ  ８０４…デジタルアップコンバータ
【図１】
2006238214.tif 000004
【図２】
2006238214.tif 000005
【図３】
2006238214.tif 000006
【図４】
2006238214.tif 000007